(57)【要約】      （修正有）【課題】ペットの飲用水の活水状態を作る外付け式活水水飲みシステムを提供する。【解決手段】飲用水を受け入れる水受けユニット１の出水口には、ペットに供給するための水飲みユニット８に備える基礎水飲み区間３から延出する案内溝３１を装入することで、水を基礎水飲み区間３に導入し、結合される転換台座５に向けて、水中ポンプ９１の一端から上向きに導入する。水は、転換台座５の所定段落に沿って形成された少なくとも１段又はそれ以上の阻止区間５１で阻止されて激流の状態を生じる。基礎水飲み区間３に落下した水は、ペットの飲用として供給される。水中ポンプ９１によって水を再び上向きに転換台座５に導入することで、水飲みユニット８は、水受けユニット１から受け取った水に対して持続的な循環流動状態を形成することができる。【選択図】図７
0003210777.tif 000002
【実用新案登録請求の範囲】
【請求項１】
外付け形式の水飲みシステムに対して活水状態を得る外付け式活水水飲みシステムであって、
飲用水を受け入れる水受けユニットにおける水の導出を許容する１節の接合段は、固定架に相応するパイプ段との方位制限を保持し、及びペットに供給するための水飲みユニットにおいて、基礎水飲み区間の一端から案内溝が延出してそれを前述した水受けユニットの前記節の接合段の下方に当接させることにより、水を容易に前記基礎水飲み区間に導入し、前記基礎水飲み区間の所定範囲では、水中ポンプの一端から導入する水を流動状態で行う転換台座の結合を許容することで、導入する水は、前記転換台座の所定段落に沿って形成された少なくとも１段又はそれ以上の阻止区間で阻止された激流の水飲み状態を生じると共に、前記基礎水飲み区間に落下してペットの飲用として供給されるほか、その間に結合される前記水中ポンプによって水を再び上向きに前記転換台座に導入することで、前記水飲みユニットは、前記水受けユニットから受け取った水に対して持続的な循環流動状態を形成することを特徴とする、外付け式活水水飲みシステム。
【請求項２】
ペットに供給するための前記水飲みユニットに備える前記基礎水飲み区間の隣接下端に位置する位置では、所定形態の挟持部材が適宜な支承を行うのを許容すると共に、前記基礎水飲み区間の一端から延出する前記案内溝を跨ぐように前述した挟持部材の一端に受承凹部が凹設され、及び前記基礎水飲み区間の前記案内溝寄りの一端に下向きに延出する１節の制限部の導入のために前記挟持部材の前記受承凹部近接の一端の底部層面に切欠きが貫通され、前記挟持部材の前記受承凹部が形成される一側周辺に沿って外向きに接合ロッド段が突設されることにより、架設時、予備架設体を容易に貫通し、及びつまみに合わせて方位制限を容易に行うことで、前記基礎水飲み区間には前記挟持部材の安定支承を受けることを特徴とする、請求項１に記載の外付け式活水水飲みシステム。
【請求項３】
ペットに供給するための前記水飲みユニットに備える前記基礎水飲み区間の所定範囲に位置する位置では、前記転換台座の下向き周辺近接の相応部位に凹設される少なくとも複数本の切欠き溝を安定に跨設させるのを許容するように、第１凸リブと、第２凸リブとが間隔をおいて延設され、及び前述した基礎水飲み区間の前記第２凸リブに近隣する所定部位に第３凸リブが間隔をおいて延設されるのを許容することで、前記第２凸リブと、前記第３凸リブとの間に、濾過部材の安定装入のために貯留領域を形成して、前記基礎水飲み区間に落下した水に対して上向きに前記転換台座に導入する必要がある前に、前記濾過部材によって水中の不純物を濾過することを特徴とする、請求項１に記載の外付け式活水水飲みシステム。
【請求項４】
ペットに供給するための前記水飲みユニットに備える前記基礎水飲み区間の所定範囲に跨設される前記転換台座の水落下段落近接の底部に少なく２本の跨設部が間隔をおいて凸設されることにより、組立時、前記基礎水飲み区間の相応部位に装入する前記濾過部材の上端を安定に跨設させることを特徴とする、請求項３に記載の外付け式活水水飲みシステム。
【請求項５】
ペットに供給するための前記水飲みユニットに備える前記基礎水飲み区間の所定範囲に結合される前記転換台座の前記水中ポンプの一端から水の導入を許容できる部位には、上下向き段落に受けパイプ段が延伸配設され、前記受けパイプ段の近上部位が出水具に合わせて結合嵌入し、前記出水具の近下一端の孔を前述した受けパイプ段の進入移動に沿って安定に前記転換台座の所定凹入領域に装入し、前記出水具の一端が水平方向に延びる出水孔を呈して、及び下端寄りの少なくとも一側又はそれ以上が複数本の出水孔を形成することで、前述した水平方向に沿う出水孔及び近下側辺の出水孔から外に排出される水は、前記転換台座に沿って形成された少なくとも１段又はそれ以上の阻止区間で阻止された激流の水飲みを生じることを特徴とする、請求項１に記載の外付け式活水水飲みシステム。
【請求項６】
ペットに供給するための前記水飲みユニットに備える前記基礎水飲み区間の一端から延出する前記案内溝は、前記水受けユニットから下向きに導入する接合段に対応して、前記水受けユニットの水を前記基礎水飲み区間に導入して前述した接合段の出口に容易に到達し、即ち止水状態を表しているか、又は前記基礎水飲み区間の水位が前記水受けユニットの前記接合段の出口よりも低い場合、再び水を導入して入水状態を表していることを特徴とする、請求項１に記載の外付け式活水水飲みシステム。
【請求項７】
ペットに供給するための前記水飲みユニットに備える前記基礎水飲み区間の前記案内溝に位置する所定部位に、及び前記基礎水飲み区間を支承する前記挟持部材の前述した案内溝に近隣する相応部位に、収容凹部が個別に凹設されることにより、前記基礎水飲み区間の所定範囲に結合される前記水中ポンプから延びる回路が容易に外から跨ぐように配設されることを特徴とする、請求項２に記載の外付け式活水水飲みシステム。
【請求項８】
ペットに供給するための前記水飲みユニットに備える前記基礎水飲み区間は、その隣接下端に支承するための所定形態の挟持部材により一体的に結合されるのを許容することを特徴とする、請求項１に記載の外付け式活水水飲みシステム。
【請求項９】
飲用水を受け入れる前記水受けユニットの近下段落に支承するための前記固定架は、一側から１節の接合ロッド段が延伸配設されることにより、架設時、予備架設体を容易に貫通し、及びつまみに合わせて方位制限を容易に行うことで、前記水受けユニットは、前記固定架の安定支持を受けることを特徴とする、請求項１に記載の外付け式活水水飲みシステム。
【考案の詳細な説明】
【技術分野】
【０００１】
本考案は、外付け式活水水飲みシステムに関し、主に、飲用水を受け入れる水受けユニットの一側の出水口は、ペットに供給するための水飲みユニットに備える基礎水飲み区間から延出する１節の案内溝の装入を許容することで、水を基礎水飲み区間に導入して所定範囲に結合される転換台座によって持続的に上向き導入する水は外へ排出され、転換台座の所定段落に沿って形成された少なくとも１段又はそれ以上の阻止区間で阻止された激流の水飲み状態を生じることにより、水飲みユニットは、水受けユニットから受け取った水に対して持続的な循環流動状態を形成することができる、外付け式活水水飲みシステムに関する。
【背景技術】
【０００２】
従来のペットの水飲み用容器組立体としては、より簡易にかご体や所定支持体に引掛けた形態のほか、床面上に直接に載置して適時に導出水量を制御する容器組立体もあり、これらの引掛け形式のものや床面に載置する形式のものは、いずれもペットが随時に便利に水を飲むことができる設置である。ここで、本考案は、第１種の予備支持体に直接に引掛けた水飲み組立体について設計を行い、この種の引掛け形式の水飲み組立体は、応用上、ペットが水を飲む必要がある時、出水口を直接に舌で舐めると、水を飲むことができ、所期の給水及び適時の止水を得ることができた。
【考案の概要】
【考案が解決しようとする課題】
【０００３】
ところが、一般の引掛け形式の水飲み組立体は、ペットに随時に飲用水を提供できるという便利さがあるが、ペットが喜んで飲用する活水のための設置を欠くために、本願の考案者は、即ち従来の外付け形式の水飲み組立体について、活水状態を得るために応用できることから、前記水飲み組立体内に装填された水が持続的に循環流動を行うことができる。
【課題を解決するための手段】
【０００４】
本考案の主要な目的は、外付け形式の水飲みシステムに対して活水状態を得る外付け式活水水飲みシステムを提供することであり、飲用水を受け入れる水受けユニットの一側に水の導出を許容する１節の接合段は、固定架に相応するパイプ段との方位制限を保持し、及びペットに供給するための水飲みユニットにおいて、基礎水飲み区間の一端から案内溝が延出してそれを前述した水受けユニットの前記節の接合段の下方に当接させることにより、水を容易に基礎水飲み区間に導入し、基礎水飲み区間の所定範囲では、水中ポンプの一端から導入する水を流動状態で行う転換台座の結合を許容することで、導入する水は、転換台座の所定段落に沿って形成された少なくとも１段又はそれ以上の阻止区間で阻止された激流の水飲み状態を生じると共に、基礎水飲み区間に落下してペットの飲用として供給されるほか、その間に結合される水中ポンプによって水を再び上向きに転換台座に導入することで、水飲みユニットは、水受けユニットから受け取った水に対して持続的な循環流動状態を形成することができる。
【考案の効果】
【０００５】
本考案の第２目的は、ペットに供給するための水飲みユニットに備える基礎水飲み区間の隣接下端に位置する位置では、所定形態の挟持部材が適宜な支承を行うのを許容すると共に、基礎水飲み区間の一端から延出する案内溝を跨ぐように前述した挟持部材の一端に受承凹部が凹設され、及び基礎水飲み区間の案内溝寄りの一端に下向きに延出する１節の制限部の導入のために挟持部材の受承凹部近接の一端の底部層面に切欠きが貫通され、挟持部材の受承凹部が形成される一側周辺に沿って外向きに接合ロッド段が突設されることにより、架設時、予備架設体を容易に貫通し、及びつまみに合わせて方位制限を容易に行うことで、前記基礎水飲み区間には挟持部材の安定支承を受けることができる。
【０００６】
本考案的第３目的は、ペットに供給するための水飲みユニットに備える基礎水飲み区間の所定範囲に位置する位置では、転換台座の下向き周辺近接の相応部位に凹設される少なくとも複数本の切欠き溝を安定に跨設させるのを許容するように、第１凸リブと、第２凸リブとが間隔をおいて延設され、及び前述した基礎水飲み区間の第２凸リブに近隣する所定部位に第３凸リブが間隔をおいて延設されるのを許容することで、第２凸リブと、第３凸リブとの間に、濾過部材の安定装入のために貯留領域を形成して、基礎水飲み区間に落下した水に対して上向きに転換台座に導入する必要がある前に、濾過部材によって水中の不純物を濾過することができる。
【０００７】
本考案的第４目的は、ペットに供給するための水飲みユニットに備える基礎水飲み区間の所定範囲に跨設される転換台座の水落下段落近接の底部に少なく２本の跨設部が間隔をおいて凸設されることにより、組立時、基礎水飲み区間の相応部位に装入する濾過部材の上端を安定に跨設させることができる。
【０００８】
本考案の第５目的は、ペットに供給するための水飲みユニットに備える基礎水飲み区間の所定範囲に結合される転換台座の水中ポンプの一端から水の導入を許容できる部位には、上下向き段落に受けパイプ段が延伸配設され、前記受けパイプ段の近上部位が出水具に合わせて結合嵌入することができ、出水具の近下一端の孔を前述した受けパイプ段の進入移動に沿って安定に転換台座の所定凹入領域に装入し、前記出水具の一端が水平方向に延びる出水孔を呈して、及び下端寄りの少なくとも一側又はそれ以上が複数本の出水孔を形成することで、前述した水平方向に沿う出水孔及び近下側辺の出水孔から外に排出される水は、前記転換台座に沿って形成された少なくとも１段又はそれ以上の阻止区間で阻止された激流の水飲みを生じる。
【０００９】
本考案の第６目的は、ペットに供給するための水飲みユニットに備える基礎水飲み区間の一端から延出する案内溝は、水受けユニットから下向きに導入する接合段に対応して、水受けユニットの水を基礎水飲み区間に導入して前述した接合段の出口に容易に到達することができ、即ち止水状態を表しているか、又は基礎水飲み区間の水位が水受けユニットの前記接合段の出口よりも低い場合、再び水を導入して入水状態を表している。
【００１０】
本考案の第７目的は、ペットに供給するための水飲みユニットに備える基礎水飲み区間の案内溝に位置する所定部位に、及び基礎水飲み区間を支承する挟持部材の前述した案内溝に近隣する相応部位に、収容凹部が個別に凹設されることにより、基礎水飲み区間の所定範囲に結合される水中ポンプから延びる回路が容易に外から跨ぐように配設される。
【００１１】
本考案の第８目的は、ペットに供給するための水飲みユニットに備える基礎水飲み区間は、その隣接下端に支承するための所定形態の挟持部材により一体的に結合されるのを許容することができる。
【００１２】
本考案の第９目的は、飲用水を受け入れる水受けユニットの近下段落に支承するための固定架は、一側から１節の接合ロッド段が延伸配設されることにより、架設時、予備架設体を容易に貫通し、及びつまみに合わせて方位制限を容易に行うことで、前記水受けユニットは、固定架の安定支持を受けることができる。
【図面の簡単な説明】
【００１３】
【図１】本考案の外付け式活水水飲みシステムの関連構成要素を示す分解図である。
【図２】図１における関連構成要素を示す図である。
【図３】図１における関連構成要素を示す図である。
【図４】図１における関連構成要素を示す図である。
【図５】図１における関連構成要素を示す図である。
【図６】本考案の外付け式活水水飲みシステムを所定物体に架設する状態を示す図である。
【図７】本考案の外付け式活水水飲みシステムの水循環を行う状態を示す断面図である。
【考案を実施するための形態】
【００１４】
本考案が設計する外付け式活水水飲みシステム（図１、図７参照）は、外付け形式の水飲みシステム９に対して活水状態を得るために、飲用水を受け入れる水受けユニット１の一側に水の導出を許容する１節の接合段１１は、固定架２に相応するパイプ段２１との方位制限を保持し、及びペットに供給するための水飲みユニット８において、基礎水飲み区間３の一端から案内溝３１が延出してそれを前述した水受けユニット１の前記節の接合段１１の下方に当接させることにより、水を容易に基礎水飲み区間３に導入し、基礎水飲み区間３の所定範囲では、水中ポンプ９１の一端から導入する水を流動状態で行う転換台座５の結合を許容することで、導入する水１０は、転換台座５の所定段落に沿って形成された少なくとも１段又はそれ以上の阻止区間５１で阻止された激流の水飲み状態を生じると共に、基礎水飲み区間３に落下してペットの飲用として供給されるほか、その間に結合される水中ポンプ９１によって水１０を再び上向きに転換台座５に導入することで、水飲みユニット８は、水受けユニット１から受け取った水１０に対して持続的な循環流動状態を形成することができる構成を備える。
【００１５】
前述に続いて、ペットに供給するための前記水飲みユニット８に備える基礎水飲み区間３の隣接下端に位置する位置では、所定形態の挟持部材４が適宜な支承を行うのを許容できると共に（図１、図７参照）、基礎水飲み区間３の一端から延出する案内溝３１を跨ぐように前述した挟持部材４の一端に受承凹部４１が凹設され、及び基礎水飲み区間３の案内溝３１寄りの一端に下向きに延出する１節の制限部３２の導入のために挟持部材４の受承凹部４１近接の一端の底部層面に切欠き４２が貫通され（図２参照）、挟持部材４の受承凹部４１が形成される一側周辺に沿って外向きに接合ロッド段４３が突設されることにより、架設時、予備架設体２０を容易に貫通し、及びつまみ４４に合わせて方位制限を容易に行うことで（図６参照）、前記基礎水飲み区間３には挟持部材４の安定支承を受けることができる。
【００１６】
及び、ペットに供給するための水飲みユニット８に備える基礎水飲み区間３の所定範囲に位置する位置では、転換台座５の下向き周辺近接の相応部位に凹設される少なくとも複数本の切欠き溝５２（図４参照）を安定に跨設させるのを許容するように、第１凸リブ３３と、第２凸リブ３４とが間隔をおいて延設され（図１、図３参照）、及び前述した基礎水飲み区間３の第２凸リブ３４に近隣する所定部位に第３凸リブ３５が間隔をおいて延設されるのを許容することで、第２凸リブ３４と、第３凸リブ３５との間に、濾過部材７の安定装入のために貯留領域３６を形成して（図７参照）、基礎水飲み区間３に落下した水１０に対して上向きに転換台座５に導入する必要がある前に、濾過部材７によって水中の不純物を濾過することができる。それと共に、基礎水飲み区間３の所定範囲に跨設される転換台座５の水落下段落近接の底部に少なくとも２本の跨設部５３が間隔をおいて凸設されることにより（図７参照）、組立時、基礎水飲み区間３の相応部位に装入する濾過部材７の上端を安定に跨設させることができる。
【００１７】
ペットに供給するための水飲みユニット８に備える基礎水飲み区間３の所定範囲に結合される転換台座５の水中ポンプ９１の一端から水の導入を許容できる部位には、上下向き段落に受けパイプ段５４が延伸配設され（図４、図７参照）、前記受けパイプ段５４の近上部位が出水具６に合わせて結合嵌入することができ、出水具６の近下一端の孔６１（図５参照）を前述した受けパイプ段５４の進入移動に沿って安定に転換台座５の所定凹入領域に装入し、前記出水具６の一端が水平方向に延びる出水孔６２を呈して、及び下端寄りの少なくとも一側又はそれ以上が複数本の出水孔６３を形成することで、前述した水平方向に沿う出水孔６２及び近下側辺の出水孔６３から外に排出される水１０は、転換台座５に沿って形成された少なくとも１段又はそれ以上の阻止区間５１で阻止された激流の水飲みを生じる。
【００１８】
また、ペットに供給するための水飲みユニット８に備える基礎水飲み区間３の一端から延出する案内溝３１は、水受けユニット１から下向きに導入する接合段１１に対応して、水受けユニット１の水１０を基礎水飲み区間３に導入して前述した接合段１１の出口に容易に到達することができ（図７の破線で示す高さ）、即ち止水状態を表しているか、又は基礎水飲み区間３の水位が水受けユニット１の前記接合段１１の出口よりも低い場合、再び水を導入して入水状態を表している。
【００１９】
それと共に、ペットに供給するための水飲みユニット８に備える基礎水飲み区間３の案内溝３１に位置する所定部位に、及び基礎水飲み区間３を支承する挟持部材４の前述した案内溝３１に近隣する相応部位に、収容凹部３７，４５が個別に凹設されることにより（図３、図２参照）、基礎水飲み区間３の所定範囲に結合される水中ポンプ９１から延びる回路９２が容易に外から跨ぐように配設される（図７参照）。同時に、ペットに供給するための水飲みユニット８に備える基礎水飲み区間３は、その隣接下端に支承するための所定形態の挟持部材４により、許容可能な場合、一体的に結合される（即ち、基礎水飲み区間３の一端から外向きに接合ロッド段２２が延伸配設されることにより、予備架設体２０を貫通し、及びつまみ２３に合わせて方位制限を行う）。飲用水を受け入れる水受けユニット１の近下段落に支承するための固定架２は、一側から１節の接合ロッド段２２が延伸配設されることにより（図1参照）、架設時、予備架設体２０を容易に貫通し、及びつまみ２３に合わせて方位制限を容易に行うことで、前記水受けユニット１は、固定架２の安定支持を受けることができる。
【産業上の利用可能性】
【００２０】
上記に言及した転換台座５の所定凹入領域に結合される出水具６の下端寄りに位置する少なくとも一側又はそれ以上が複数本の出水孔６３を形成することで、通常時、水圧調節の効果を有し、及び水飲みシステム９が非２４時間開放の場合、即ち即ち側辺の複数本の出水孔６３によって水中の不純物（例えば、猫毛など）を外向きに流し去ることができる。
【符号の説明】
【００２１】
１               水受けユニット
１１             接合段
２               固定架
２１             パイプ段
２２，４３       接合ロッド段
２３，４４       つまみ
３               基礎水飲み区間
３１             案内溝
３２             制限部
３３             第１凸リブ
３４             第２凸リブ
３５             第３凸リブ
３６             貯留領域
３７，４５       収容凹部
４               挟持部材
４１             受承凹部
４２             切欠き
５               転換台座
５１             阻止区間
５２             切欠き溝
５３             跨設部
５４             受けパイプ段
６               出水具
６１             孔
６２，６３       出水孔
７               濾過部材
８               水飲みユニット
９               水飲みシステム
９１             水中ポンプ
９２             回路
１０             水
２０             予備架設体
【図１】
0003210777.tif 000003
【図２】
0003210777.tif 000004
【図３】
0003210777.tif 000005
【図４】
0003210777.tif 000006
【図５】
0003210777.tif 000007
【図６】
0003210777.tif 000008
【図７】
0003210777.tif 000009